(57)【要約】【課題】電子表示装置において、特殊な部品や、ケーブル固定用部品を用いることなくケーブル配設を行う。【解決手段】部材固定用のシャシー３の一面にプラズマディスプレイパネル６を、他の一面に第１回路基板１及び第２回路基板２を配設する。シャシー３において、プラズマディスプレイパネル６配設面と第１回路基板１等の配設面を貫通させるようにシャシー空孔１１及びシャシー空孔１２を空ける。フレキシブルケーブル４は、シャシー空孔１１及びシャシー空孔１２を通してプラズマディスプレイパネル６配設面側に露出させて、第１回路基板１と第２回路基板２とを電気的に接続する。接着剤層５により、シャシー３へプラズマディスプレイパネル６を固定すると共に、フレキシブルケーブル４も固定する。【選択図】図１
2009122223.tif 000002
【特許請求の範囲】
【請求項１】
能動部品と、前記能動部品を駆動する駆動回路を有する第１の回路基板及び第２の回路基板と、前記第１の回路基板及び前記第２の回路基板を電気的に接続するケーブルと、前記能動部品及び前記第１の回路基板及び前記第２の回路基板を物理的に固定する構造部材からなる電子装置であって、
前記構造部材は、前記能動部品が配設される能動部品配設面と、前記第１の回路基板及び前記第２の回路基板が配設される回路基板配設面と、前記ケーブルを前記能動部品配設面に露出して前記第１の回路基板と前記第２の回路基板を電気的に接続可能なケーブル配設構造を有し、
前記能動部品と前記構造部材との間に形成された接着剤層により前記能動部品は固定され、
前記接着剤層と前記構造部材との間に前記ケーブルが配設されることを特徴とする電子装置。
【請求項２】
請求項１記載の電子装置において、前記ケーブル配設構造とは、前記構造部材に空孔を２つ空け、該空孔間にＵ字型に前記ケーブルを挿入して前記第１の回路基板と前記第２の回路基板を接続可能にする構造であることを特徴とする電子装置。
【請求項３】
能動部品と、前記能動部品を駆動する駆動回路を有する第１の回路基板及び第２の回路基板と、前記第１の回路基板及び前記第２の回路基板を電気的に接続するケーブルと、前記能動部品及び前記第１の回路基板及び前記第２の回路基板を物理的に固定する構造部材からなる電子装置であって、
前記構造部材は、前記能動部品が配設される能動部品配設面と、前記第１の回路基板及び前記第２の回路基板が配設される回路基板配設面と、前記ケーブルを前記能動部品配設面に露出して前記第１の回路基板と前記第２の回路基板を電気的に接続可能なケーブル配設構造を有し、
前記能動部品と前記構造部材との間に形成された接着剤層により前記能動部品は固定され、
前記接着剤層と前記能動部品との間に前記ケーブルが配設されることを特徴とする電子装置。
【請求項４】
請求項３記載の電子装置において、前記ケーブル配設構造とは、前記構造部材に空孔を２つ空け、前記接着剤層に空孔を２つ空け、該空孔間にＵ字型に前記ケーブルを挿入して前記第１の回路基板と前記第２の回路基板を接続可能にする構造であることを特徴とする電子装置。
【請求項５】
請求項１、２、３または4記載の電子装置において、該電子装置はデジタル表示装置であることを特徴とする電子装置。
【請求項６】
請求項５記載の電子装置であって、前記デジタル表示装置はプラズマディスプレイ装置であることを特徴とする電子装置。
【請求項７】
請求項５記載の電子装置であって、前記デジタル表示装置は液晶表示装置であることを特徴とする電子装置。
【発明の詳細な説明】
【技術分野】
【０００１】
本願発明は、プラズマディスプレイ装置、液晶表示装置などの大きな平面を有する電子装置におけるケーブルの配設方法に関する。
【背景技術】
【０００２】
家庭用の大画面テレビとして用いられるプラズマディスプレイ装置の月間出荷台数は７万４千台、液晶表示装置の月間出荷台数は５６万８千台（２００７年７月期、ＪＥＩＴＡ報告）となっており、すでに民生用の量販表示機器として一般的なものとなっている。
【０００３】
これらの表示装置においては、表示パネル、部材固定用のシャシー、および、表示用パネルの電極を動作させる回路基板を備えるのが一般的な構成であり、その回路基板同士はフラットケーブルなどで電気的に接続している。
【０００４】
従来の技術としては、特開２０００−１２１６６号公報（以下特許文献１）記載のものがあげられる。ここで、回路基板同士を接続するフラットケーブルは、コネクタ固定部と回路基板との間で押圧し固定する、あるいは、コネクタ固定部とシャシー凸部との間で押圧して固定することが記載されている。
【特許文献１】特開２０００−１２１６６号公報
【発明の開示】
【発明が解決しようとする課題】
【０００５】
しかし、特許文献１記載の発明では、フラットケーブルの押圧固定を可能とする特別なコネクタが必要となる。また該コネクタ固定部の押圧位置に応じてシャシー凸部を形成する必要があり、特殊な形状した部材を用意する必要がある。
【０００６】
一般的に、回路基板間の接続ケーブルは、クリップやクランパーなどのケーブル固定用部品、あるいは、接着テープなどを用いてシャシーに固定される。このケーブル固定を行わない状態では、図２で示すようなケーブルの浮き上がりが生じ、作業上問題になる場合がある。また、かかるケーブル浮き上がり状態は、装置動作時に振動発生の原因となる。この振動の周波数が可聴帯域に入ると異音と感じ、使用者に不快感を与え、装置自体の不具合とされることもある。
【０００７】
表示装置が大画面となれば、接続ケーブルが長尺化し、また、ケーブル配設が複雑化していく傾向にあり、これに応じてケーブル固定用の部品数は多くなり、作業工数及びコストの増加を招くこととなった。
【０００８】
本願発明の目的は、かかる特殊な部品や、ケーブル固定用部品を用いることなくケーブル配設を行うことにある。
【０００９】
あわせて、シャシーに密着させることで電磁ノイズ等がケーブルに影響を及ぼすことを防ぐことにある。
【００１０】
本願発明の前記並びにその他の目的と新規な特徴は、本明細書の記述及び添付図面から明らかになるであろう。
【課題を解決するための手段】
【００１１】
本願において開示される発明のうち、代表的なものの概要を簡単に説明すれば、次の通りである。
【００１２】
本願発明の代表的な実施の形態に関わる電子装置は、能動部品と、能動部品を駆動する駆動回路を有する第１の回路基板及び第２の回路基板と、第１の回路基板及び第２の回路基板とを電気的に接続するケーブルと、能動部品及び第１の回路基板及び第２の回路基板とを物理的に固定する構造部材からなり、構造部材は、前記能動部品が配設される能動部品配設面と、前記第１の回路基板及び前記第２の回路基板とが配設される回路基板配設面、及び前記ケーブルを前記能動部品配設面に露出して前記第１の回路基板と前記第２の回路基板を電気的に接続可能なケーブル配設構造を有し、能動部品と構造部材との間に形成された接着剤層により能動部品は固定され、接着剤層と構造部材との間にケーブルが配設されることを特徴とする。
【００１３】
この電子装置のケーブル配設構造とは、構造部材に空孔を２つ空け、該空孔間にＵ字型にケーブルを挿入して、第１の回路基板と第２の回路基板を接続可能にする構造であることを特徴としても良い。
【００１４】
上記電子装置は、デジタル表示装置、特にプラズマディスプレイ装置や液晶表示装置であっても良い。
【発明の効果】
【００１５】
本願において開示される発明のうち、代表的なものによって得られる効果を簡単に説明すれば以下の通りである。
【００１６】
本願発明の適用により、ケーブル固定用部品を用いることなく回路基板間のケーブル配設を行うことが可能になる。
【００１７】
また本願発明の適用により、ケーブルの浮き上がりが生じることが無くなり振動異音の発生を防ぐことができる。
【００１８】
また副次的な効果として、ケーブルとシャシーの密着性が高まるため、所定の要件を満たせば対電磁ノイズ性が強化される。
【発明を実施するための最良の形態】
【００１９】
以下本願発明の実施の形態について図を用いて説明する。
【００２０】
図１は本願発明に関わる第１の実施の形態に関わるプラズマディスプレイ装置の組み立て時の構成を表す斜視図である。
【００２１】
このプラズマディスプレイ装置は、第１回路基板１、第２回路基板２、シャシー３、フレキシブルケーブル４、接着剤層５、プラズマディスプレイパネル６より構成される。
【００２２】
プラズマディスプレイパネル６は、プラズマディスプレイ装置の表示面を構成する電子デバイス（能動部品）である。
【００２３】
第１回路基板１と第２回路基板２は、プラズマディスプレイパネル６への電力供給や表示データ送出などの機能を有する回路基板である。これらの回路基板上には第１コネクタ２１及び第２コネクタ２２がそれぞれ配置されている。これらのコネクタ及びフレキシブルケーブル４を介することで第１回路基板１と第２回路基板２は電気的に接続されることとなる。
【００２４】
シャシー３はプラズマディスプレイ装置の物理的構成を維持するための構造部材である。このシャシー３の一面（能動部品配設面）に第１回路基板１及び第２回路基板２が物理的に固定される。また第１回路基板１及び第２回路基板２が固定される面とは反対側の面（回路基板配設面）に、接着剤層５によってプラズマディスプレイパネル６が固定される。本実施の形態においては、フレキシブルケーブル４を挿入するためにシャシー空孔１１及びシャシー空孔１２が２つ空けられている。この空孔は配線するフレキシブルケーブルの本数が増えれば増加させても良い。また、大きな穴を一つ空けて、そこに複数のフレキシブルケーブル４を通しても良い。
【００２５】
なお、シャシー３はプラズマディスプレイパネル６を固定できればよく、厳密にプラズマディスプレイパネル６の設置面として均一な平面を形成する必要は無い。また、プラズマディスプレイパネル６側に凹凸があれば、それにあわせて、設置面に凸凹を設けても良い。
【００２６】
フレキシブルケーブル４は第１回路基板１及び第２回路基板２を電気的に接続するためのケーブルである。本実施の形態においては、第１回路基板１及び第２回路基板２が固定されるシャシー面の反対側の面にシャシー空孔１１及びシャシー空孔１２を介して配設される。すなわちフレキシブルケーブル４は第１回路基板１及び第２回路基板２が固定されるシャシー面とは反対の面に露出するようにＵ字型に配設する。
【００２７】
なお、フレキシブルケーブル４について、例えばシールドされているケーブルを用いるといった場合もあり、使用目的に応じて選択するため、ケーブルの種類は限定されるものではない。
【００２８】
接着剤層５はシャシー３とプラズマディスプレイパネル６を固定するための接着層である。従来、この接着層は、このシャシー３とプラズマディスプレイパネル６の固定にのみ用いていたが、本願発明においてはフレキシブルケーブル４を固定する用途にも用いる。すなわち、シャシー３とプラズマディスプレイパネル６の押圧だけでなく、接着剤層５の粘着力によって、フレキシブルケーブル４が固定される。これにより、図２のようなフレキシブルケーブル４の浮き上がりを防止できる。
【００２９】
なお、接着剤層５としては一般的に両面テープシートが用いられるが、シャシー３とプラズマディスプレイパネル６を固定する手法は、限定されるものではない。
【００３０】
また、上記説明ではシャシー空孔１１及びシャシー空孔１２という形で２つの孔をシャシーに空けていたが、空孔間をつなげ、１つの孔になる処理をしても構わない。
【００３１】
以上のような構成を取ることで、新たな部材を追加することなくケーブルの配設を実現し、ケーブルの浮き上がりも防止できる。また、フレキシブルケーブル４とシャシー３との密着度が高まり、シャシー３が金属製である場合には、ケーブル伝送信号とグランドの電気的関係改善により、対電磁ノイズ性が向上する。
【００３２】
図３は本願発明に関わる第２の実施の形態に関わるプラズマディスプレイ装置の分解斜視図である。
【００３３】
接着剤層５がシート状の形態の場合、図３のように接着剤層空孔１３及び接着剤層空孔１４を形成して、シャシー空孔１１、シャシー空孔１２、接着剤層空孔１３及び接着剤層空孔１４を介して、フレキシブルケーブル４を第１回路基板１及び第２回路基板２の固定されたシャシー面の反対側の面に配設することも可能である。この２つの接着剤層空孔についても、空孔間をつなげ、１つの孔になる処理をしても構わない。
【００３４】
以上、本願発明者によってなされた発明を実施の形態に基づき具体的に説明したが、本願発明は前記の実施の形態に限定されるものではなく、その要旨を逸脱しない範囲で種々変更が可能であることは言うまでもない。
【００３５】
また特許文献１のように回路基板が３枚以上あり、これらの回路基板間で複数のケーブルを配設するときには、一部または全てのケーブルを本願発明のような処置で固定し、他のケーブルを従来の固定手法などで留めてもかまわない。
【００３６】
また、上記ではプラズマディスプレイ装置について説明したが、大きな平面を有する他の電子機器、たとえば液晶表示装置や液晶一体型デスクトップパソコンやノートパソコン、にも適用可能である。
【産業上の利用可能性】
【００３７】
本願発明は、略同一な平面上に配置される複数の回路基板とそれらを電気的に接続するケーブルにより構成される電子装置に適用可能である。上述のようなプラズマディスプレイ装置、液晶表示装置だけでなく、可搬可能性による物理的制約により基板を複数に分割することのあるノートパソコン、無線モジュールなど、シールド用部材が内部に配置される携帯電話機等の携帯用無線通信機などへの適用も可能である。
【図面の簡単な説明】
【００３８】
【図１】本願発明を適用した第１の実施の形態に関わるプラズマディスプレイ装置の分解斜視図である。
【図２】従来の基板間接続の問題点を説明するための図である。
【図３】本願発明を適用した第２の実施の形態に関わるプラズマディスプレイ装置の分解斜視図である。
【符号の説明】
【００３９】
１…第１回路基板、２…第２回路基板、３…シャシー、４…フレキシブルケーブル、
５…接着剤層、６…プラズマディスプレイパネル、１１、１２…シャシー空孔、
１３、１４…接着剤層空孔、２１…第１コネクタ、２２…第２コネクタ
【図１】
2009122223.tif 000003
【図２】
2009122223.tif 000004
【図３】
2009122223.tif 000005